(57)【特許請求の範囲】
【請求項１】
平面形状が矩形の底板部２と、２組の対向側板部３，４、１２，１３と、２枚の互いに重なるフラップ６，７からなる上蓋部５を備えた段ボール板などの厚紙製の包装箱であって、上蓋部５を構成する２枚の互いに重なるフラップ６，７の内、下側に位置するフラップ６には前後方向に向く幅方向の中央部で且つ長手方向の中央部に長手方向に沿って細幅の溝部１４が形成され、前記フラップ６の上側に重なるフラップ７には前記溝部１４の両端上に位置するように２本のカット線１５，１５が形成されており、このカット線１５，１５の外側のフラップ７の両端部を前記フラップ６に対し接着剤により接合させ、前記カット線１５，１５間のフラップ７の板部７ａは包装箱１の上端に把手部を形成するために前記側板部４の上端との連設線１６と平行な２本の折曲線１７，１８が形成されており、板部７ａの先端部側において前記折曲線１８により前記溝部１４への差し込み片１９が形成され、また前記連設線１６と折曲線１８との間の板部７ｂ，７ｃは前記折曲線１７を中心として∧型に折れ曲がり、前記差し込み片１９を溝部１４から包装箱１内の被収納物と下側に位置するフラップ６との間に差し込むことにより前記連設線１６と折曲線１８との間の板部７ｂ，７ｃの∧型の折れ曲がり状態を保持できるように構成され、前記∧型に折れ曲がる板部７ｂ，７ｃには∧型に折れ曲がった状態における上下方向中間部より下側にほぼ凵状の切り込み２１，２２が形成されて、把手孔２３が形成されていることを特徴とする包装箱。
【請求項２】
平面形状が矩形の底板部２と、２組の対向側板部３，４、１２，１３と、２枚の互いに重なるフラップ６，７からなる上蓋部５を備えた段ボール板などの厚紙製の包装箱であって、上蓋部５を構成するフラップ６とフラップ７は両端部て接着剤により互いに接合され、下側に位置するフラップ７には両端部に近接する位置で前記フラップ６との接合板部７ｄから切り離すための２本のカット線２４，２４が形成され、前記両端の接合板部７ｄと接合板部７ｄとの間に位置して前記側板部４の上端に連設線２５を介して繋がるフラップ７の板部７ｅは上側に位置する前記フラップ６と組み合わされて包装箱１の上端に把手部を形成するために側板部４の上端との連設線２５と平行な２本の折曲線２６，２７が形成されており、またこの板部７ｅには連設線２５に対し遠い側にある折曲線２７よりも先端部側において左右に張り出すガイド片２８，２８を備え、このガイド片２８，２８を上側に位置するフラップ６の両端の接合板部６ａ，６ａの下側に位置させてフラップ７の小さな接合板部７ｄが重なっていない接合板部６ａ，６ａの内面に当接させ、ガイド片２８，２８を接合板部６ａ，６ａの内面に当接させてスライドさせることにより前記連設線２５と折曲線２６との間の板部７ｅ’ならびに折曲線２６と折曲線２７との間の板部７ｅ”は∧型に折れ曲がり可能となり、前記折曲線２６と折曲線２７との間の板部７ｅ”には両端が連設線２５に繋がる逆Ｕ字状の切り込み２９が形成されて、把手孔３０ａが形成され、他方、前記フラップ７の上側に位置するフラップ６にも下側に位置するフラップ７のカット線２４と重なる２本のカット線３２，３２が形成されていて、フラップ６の両端の接合板部６ａ，６ａはカット線３２，３２の外側に位置し、前記両端の接合板部６ａと接合板部６ａとの間に位置して前記側板部３の上端に連設線３３を介して繋がるフラップ６の板部６ｂには前記連設線３３と平行な１本の折曲線３４が中間部に形成されており、この折曲線３４よりも先端側の板部６ｂ’には折曲線３４に下端部が重なるＵ字状の切り込み３５が形成されて、把手孔３０ｂが形成されていることを特徴とする包装箱。
【発明の詳細な説明】
【０００１】
【発明の属する技術分野】
本発明は、段ボール板などの厚紙により作られ、缶ビール、缶ジュースなどの包装に好適な包装箱に関するものである。
【０００２】
【従来の技術】
従来、缶ビールや缶ジュースなどを収納する包装箱としてはＪＩＳ  ０４１０形式の包装箱が知られており、缶ビールなどの被収納物が収納された包装箱を運ぶときは、両手で抱えるようにして運んでいるのが現状である。
【０００３】
つまり、ＪＩＳ  ０４１０形式の包装箱には把手部がなく、運ぶときは両手で抱えなければならず、ＪＩＳ  ０４１０形式の包装箱を抱えて運ぶときは他のものを持つことができないという問題があった。
【０００４】
【発明が解決しようとする課題】
本発明はこのような課題を解決するもので、缶ビールや缶ジュースなどを収納する包装箱にあって、片手で持ち運びが容易に行なえるようにすることを目的とするものである。
【０００５】
【課題を解決するための手段】
この課題を解決するために本発明は、平面形状が矩形の底板部２と、２組の対向側板部３，４、１２，１３と、２枚の互いに重なるフラップ６，７からなる上蓋部５を備えた段ボール板などの厚紙製の包装箱であって、上蓋部５を構成する２枚の互いに重なるフラップ６，７の内、下側に位置するフラップ６には前後方向に向く幅方向の中央部で且つ長手方向の中央部に長手方向に沿って細幅の溝部１４が形成され、前記フラップ６の上側に重なるフラップ７には前記溝部１４の両端上に位置するように２本のカット線１５，１５が形成されており、このカット線１５，１５の外側のフラップ７の両端部を前記フラップ６に対し接着剤により接合させ、前記カット線１５，１５間のフラップ７の板部７ａは包装箱１の上端に把手部を形成するために前記側板部４の上端との連設線１６と平行な２本の折曲線１７，１８が形成されており、板部７ａの先端部側において前記折曲線１８により前記溝部１４への差し込み片１９が形成され、また前記連設線１６と折曲線１８との間の板部７ｂ，７ｃは前記折曲線１７を中心として∧型に折れ曲がり、前記差し込み片１９を溝部１４から包装箱１内の被収納物と下側に位置するフラップ６との間に差し込むことにより前記連設線１６と折曲線１８との間の板部７ｂ，７ｃの∧型の折れ曲がり状態を保持できるように構成され、前記∧型に折れ曲がる板部７ｂ，７ｃには∧型に折れ曲がった状態における上下方向中間部より下側にほぼ凵状の切り込み２１，２２が形成されて、把手孔２３が形成されていることを要旨とするものである。また本発明は、平面形状が矩形の底板部２と、２組の対向側板部３，４、１２，１３と、２枚の互いに重なるフラップ６，７からなる上蓋部５を備えた段ボール板などの厚紙製の包装箱であって、上蓋部５を構成するフラップ６とフラップ７は両端部て接着剤により互いに接合され、下側に位置するフラップ７には両端部に近接する位置で前記フラップ６との接合板部７ｄから切り離すための２本のカット線２４，２４が形成され、前記両端の接合板部７ｄと接合板部７ｄとの間に位置して前記側板部４の上端に連設線２５を介して繋がるフラップ７の板部７ｅは上側に位置する前記フラップ６と組み合わされて包装箱１の上端に把手部を形成するために側板部４の上端との連設線２５と平行な２本の折曲線２６，２７が形成されており、またこの板部７ｅには連設線２５に対し遠い側にある折曲線２７よりも先端部側において左右に張り出すガイド片２８，２８を備え、このガイド片２８，２８を上側に位置するフラップ６の両端の接合板部６ａ，６ａの下側に位置させてフラップ７の小さな接合板部７ｄが重なっていない接合板部６ａ，６ａの内面に当接させ、ガイド片２８，２８を接合板部６ａ，６ａの内面に当接させてスライドさせることにより前記連設線２５と折曲線２６との間の板部７ｅ’ならびに折曲線２６と折曲線２７との間の板部７ｅ”は∧型に折れ曲がり可能となり、前記折曲線２６と折曲線２７との間の板部７ｅ”には両端が連設線２５に繋がる逆Ｕ字状の切り込み２９が形成されて、把手孔３０ａが形成され、他方、前記フラップ７の上側に位置するフラップ６にも下側に位置するフラップ７のカット線２４と重なる２本のカット線３２，３２が形成されていて、フラップ６の両端の接合板部６ａ，６ａはカット線３２，３２の外側に位置し、前記両端の接合板部６ａと接合板部６ａとの間に位置して前記側板部３の上端に連設線３３を介して繋がるフラップ６の板部６ｂには前記連設線３３と平行な１本の折曲線３４が中間部に形成されており、この折曲線３４よりも先端側の板部６ｂ’には折曲線３４に下端部が重なるＵ字状の切り込み３５が形成されて、把手孔３０ｂが形成されていることを要旨とするものである。
【０００６】
この構成により、缶ビールや缶ジュースなどを収納する包装箱にあって、購入した消費者が持ち帰るときに片手で持ち運びが容易に行なえる把手部を容易に形成でき、持ち帰りを容易に行なえる包装箱を提供できる。
【０００７】
【発明の実施の形態】
以下、本発明の実施の形態について、図面に基づいて説明する。
先ず、図１〜図５に示す第１の実施の形態について説明すると、本実施の形態の段ボール板製の包装箱１は、平面形状が長方形の底板部２と、この底板部２の長辺側の対向側辺に連設された１組の対向側板部３，４と、この対向側板部３，４の上端に連設された上蓋部５と、前記底板部２の短辺側の対向側辺、前記対向側板部３，４の両側辺、前記対向側板部３，４の上端に連設され上蓋部５を構成する２枚の互いに重なるフラップ６，７の内、下側に位置するフラップ６の両側辺にそれぞれ連設されたフラップ８、９、１０、１１からなる他の組の対向側板部１２，１３とから構成されている。
【０００８】
前記底板部２の長辺側の対向側辺に連設された対向側板部３，４は横長の長方形を呈し、前記底板部２に連設されたフラップ８，８および前記フラップ６に連設されたフラップ１１，１１を内側にして、その外側から前記対向側板部３，４に連設されたフラップ９，１０を重ねて接着剤により接合させて包装箱１を組み立てる。
【０００９】
前記上蓋部５を構成する２枚の互いに重なるフラップ６，７の内、下側に位置するフラップ６には前後方向に向く幅方向の中央部で且つ長手方向の中央部に長手方向に沿って細幅の溝部１４が形成されている。この溝部１４はフラップ６の長手方向の両端には達していない。また、前記フラップ６の上側に重なるフラップ７には前記溝部１４の両端上に位置するように２本のカット線１５，１５が形成されており、このカット線１５，１５の外側、つまりフラップ７の両端部を前記フラップ６に対し接着剤により接合させている。前記カット線１５，１５間のフラップ７の板部７ａは包装箱１の上端に把手部を形成するために前記側板部４の上端との連設線１６と平行な２本の折曲線１７，１８が形成されており、板部７ａの先端部側において前記折曲線１８により前記溝部１４への差し込み片１９が形成され、また前記連設線１６と折曲線１８との間の板部７ｂ，７ｃは前記折曲線１７を中心として∧型に折れ曲がり、前記差し込み片１９を溝部１４から包装箱１内の缶ビール２０と下側に位置するフラップ６との間に差し込むことにより前記連設線１６と折曲線１８との間の板部７ｂ，７ｃの∧型の折れ曲がり状態を保持できるようになっている。前記∧型に折れ曲がる板部７ｂ，７ｃには∧型に折れ曲がった状態における上下方向中間部より下側にほぼ凵状の切り込み２１，２２が形成されて、把手孔２３が形成されている。なお、前記切り込み２１，２２で囲まれて上端が板部７ｂ，７ｃに繋がり上側に折れ曲がるフラップ２１ａ，２２ａは∧型に折れ曲がった板部７ｂ，７ｃの内側で互いに重なって把手孔２３に挿入された指が当たるようになっている。
【００１０】
以上述べた実施の形態の包装箱１には缶ビール２０が前後方向に向いて横４列×上３段の合計１２本収納されるようになっている。
上記構成において、店で缶ビール２０を販売するまでは前記カット線１５，１５間のフラップ７の板部７ａはフラットなままで、カット線１５，１５はカットされずにあり、購入した消費者が持ち帰るときに前記カット線１５，１５をカットしてカット線１５，１５間のフラップ７の板部７ａの連設線１６と折曲線１８との間の板部７ｂ，７ｃを∧型に折り曲げ、差し込み片１９を溝部１４から包装箱１内の缶ビール２０と下側に位置するフラップ６との間に差し込むことにより、包装箱１の上端に把手孔２３を備えた把手部が形成され、把手部を握って持ち帰り可能な状態となる。
【００１１】
次に、図６〜図８に示す第２の実施の形態について説明する。この第２の実施の形態の包装箱は前記第１の実施の形態の包装箱の応用例であって、前記差し込み片１９の両側に差し込み片１９の裏側に折れ曲がる折曲片１９ａ，１９ａを連設し、差し込み片１９を溝部１４から差し込むことにより、折曲片１９ａ，１９ａが前記フラップ６に引っ掛かるようにして、差し込み片１９の抜け防止効果を高めようとしたものである。なお、前記差し込み片１９の両側に折曲片１９ａ，１９ａを連設するために、カット線１５，１５の外側に位置してフラップ６に対し接着剤により接合されるフラップ７の両端部の先端部は第１の実施の形態の包装箱よりも短くなっている。他の構成は前記第１の実施の形態の包装箱と同様である。
【００１２】
次に、図９〜図１３に示す第３の実施の形態について説明する。この第３の実施の形態の包装箱は上端の把手形成部を除いて基本的には前記第１の実施の形態の包装箱と構成が同じであるので、第１の実施の形態の包装箱と異なる把手形成部について説明する。この第３の実施の形態ではフラップ１１，１１が連設された前記フラップ６をフラップ７の上側に位置させており、フラップ６とフラップ７は両端部て接着剤により互いに接合させている。そして、下側に位置するフラップ７には両端部に近接する位置で前記フラップ６との接合板部７ｄから切り離すための２本のカット線２４，２４が形成され、前記両端の接合板部７ｄと接合板部７ｄとの間に位置して前記側板部４の上端に連設線２５を介して繋がるフラップ７の板部７ｅは上側に位置する前記フラップ６と組み合わされて包装箱１の上端に把手部を形成するために側板部４の上端との連設線２５と平行な２本の折曲線２６，２７が形成されており、またこの板部７ｅには連設線２５に対し遠い側にある折曲線２７よりも先端部側において左右に張り出すガイド片２８，２８を備え、このガイド片２８，２８を上側に位置するフラップ６の両端の接合板部６ａ，６ａの下側に位置させてフラップ７の小さな接合板部７ｄが重なっていない接合板部６ａ，６ａの内面に当接させ、ガイド片２８，２８を接合板部６ａ，６ａの内面に当接させてスライドさせることにより前記連設線２５と折曲線２６との間の板部７ｅ’ならびに折曲線２６と折曲線２７との間の板部７ｅ”は∧型に折れ曲がり可能となっている。なお、前記折曲線２６と折曲線２７との間の板部７ｅ”には両端が折曲線２７に繋がる逆Ｕ字状の切り込み２９が形成されて、把手孔３０ａが形成されている。なお、前記切り込み２９で囲まれ折曲線２７に繋がって折れ曲がるフラップ２９ａには中間部に２本の平行な切り込み３１が形成されている。
【００１３】
他方、前記フラップ７の上側に位置するフラップ６にも下側に位置するフラップ７のカット線２４と重なる２本のカット線３２，３２が形成されていて、フラップ６の両端の接合板部６ａ，６ａはカット線３２，３２の外側に位置し、カット線３２，３２間、即ち前記両端の接合板部６ａと接合板部６ａとの間に位置して前記側板部３の上端に連設線３３を介して繋がるフラップ６の板部６ｂには前記連設線３３と平行な１本の折曲線３４が中間部に形成されており、この折曲線３４よりも先端側の板部６ｂ’には折曲線３４に下端部が重なるＵ字状の切り込み３５が形成されて、把手孔３０ｂが形成されている。なお、前記切り込み３５で囲まれるフラップ３５ａの中間部においてフラップ３５ａならびに連設線３３と折曲線３３との間の板部６ｂ”には切り込み３５の下端部を跨ぐように２本の平行な切り込み３６が形成されている。
【００１４】
以上述べた実施の形態の包装箱１にも第１の実施の形態と同様に缶ビール２０が前後方向に向いて横４列×上３段の合計１２本収納されるようになっている。上記構成において、店で缶ビール２０を販売するまでは前記カット線２４，２４間のフラップ７の板部７ｅならびにカット線３２，３２間のフラップ７の板部板部６ｂはフラットなままで、カット線２４，２４およびカット線３２，３２はカットされずにあり、購入した消費者が持ち帰るときに前記カット線２４，２４およびカット線３２，３２をカットしてカット線２４，２４間のフラップ７の板部７ｅを∧型に折り曲げるとともに、カット線３２，３２間のフラップ７の板部板部６ｂを前記折曲線２６と折曲線２７との間の板部７ｅ”に重なるように折り曲げ、互いに重なる把手孔３０ａ，３０ｂに親指を除く３〜４本の指を差し込むことによりその指は前記フラップ２９ａとフラップ３５ａとの間に入り、特に中指は前記フラップ２９ａおよびフラップ３５ａの２本の平行な切り込み３１間および３６間に位置してフラップ２９ａとフラップ３５ａとの間でフリーな状態となる。このようにして、包装箱１の上端に把手孔３０ａ，３０ｂを備えた把手部が形成され、把手部を握って持ち帰り可能な状態となる。
【００１５】
ところで、以上述べた実施の形態では包装箱１内に缶ビール２０を収納するようにしてあるが、被収納物としては缶ビール２０以外の缶ジュース、缶コーヒーなどの缶類の他、小箱に収納された物であっても良い。このように本発明の包装箱は種々の被収納物に対応して作ることができ、被収納物の形状に応じて底板部２を正方形にしても良く、また底板部２の対向側辺に連設された対向側板部３，４は横長の長方形に限定されず、縦型の長方形もしくは正方形にしても良い。
【００１６】
【発明の効果】
以上のように本発明によれば、缶ビールや缶ジュースなどを収納する包装箱にあって、購入した消費者が持ち帰るときに片手で持ち運びが容易に行なえる把手部を容易に形成でき、持ち帰りを容易に行なえる包装箱を提供できる。
【図面の簡単な説明】
【図１】本発明の第１の実施の形態における包装箱の展開図である。
【図２】同包装箱の組み立て途中の状態を示す斜視図である。
【図３】同包装箱の組み立て完成状態を示す斜視図である。
【図４】同包装箱の上端に把手部を形成した状態を示す斜視図である。
【図５】同包装箱の上端に把手部を形成した状態を示す包装箱上端部の断面図である。
【図６】本発明の第２の実施の形態における包装箱の展開図である。
【図７】同包装箱の組み立て完成状態を示す斜視図である。
【図８】同包装箱の上端に把手部を形成する直前の状態を示す斜視図である。
【図９】本発明の第３の実施の形態における包装箱の展開図である。
【図１０】同包装箱の組み立て途中の状態を示す斜視図である。
【図１１】同包装箱の組み立て完成状態を示す斜視図である。
【図１２】同包装箱の上端に把手部を形成した状態を示す斜視図である。
【図１３】同包装箱の上端に把手部を形成した状態を示す包装箱上端部の断面図である。
【符号の説明】
１                      包装箱
２                      底板部
３，４                  側板部
５                      上蓋部
６，７                  フラップ
６ａ                    接合板部
６ｂ，６ｂ’，６ｂ”    板部
７ａ，７ｂ，７ｃ        板部
７ｄ                    接合板部
７ｅ、７ｅ’、７ｅ”    板部
８、９、１０、１１      フラップ
１２，１３                側板部
１４                      溝部
１５                      カット線
１６                      連設線
１７，１８                折曲線
１９                      差し込み片
１９ａ                    折曲片
２０                      缶ビール
２１，２２                切り込み
２１ａ，２２ａ            フラップ
２３                      把手孔
２４                      カット線
２５                      連設線
２６，２７                折曲線
２８                      ガイド片
２９                      切り込み
２９ａ                    フラップ
３０ａ，３０ｂ            把手孔
３１                      切り込み
３２                      カット線
３３                      連設線
３４                      折曲線
３５                      切り込み
３５ａ                    フラップ
３６                      切り込み
【図１】
0004064146.tif 000002
【図２】
0004064146.tif 000003
【図３】
0004064146.tif 000004
【図４】
0004064146.tif 000005
【図５】
0004064146.tif 000006
【図６】
0004064146.tif 000007
【図７】
0004064146.tif 000008
【図８】
0004064146.tif 000009
【図９】
0004064146.tif 000010
【図１０】
0004064146.tif 000011
【図１１】
0004064146.tif 000012
【図１２】
0004064146.tif 000013
【図１３】
0004064146.tif 000014